【事件の表示】
　特許第３３６５４８４号「光学的記録媒体用の樹脂組成物」の請求項１ないし３に係る特許に対する特許異議の申立てについて、次のとおり決定する。
【結　論】
　訂正を認める。
　特許第３３６５４８４号の請求項１ないし３に係る特許を維持する。
【理　由】
【Ｉ】手続きの経緯
　特許第３３６５４８４号の請求項１〜３に係る発明は、平成１０年４月２７日に特許出願され、平成１４年１１月１日にその発明について特許権の設定登録がなされ、その後、関口勝宏より、請求項１〜３に係る発明の特許に対し特許異議の申立てがなされ、請求項１〜３に係る発明の特許に対し取消理由が通知され、その指定期間内である平成１６年２月１０日付けで特許異議意見書とともに訂正請求書が提出されたものである。
　
【II】訂正請求について
１．訂正の内容
（１）訂正事項ａ
　請求項１の
「基体と、前記基体上に形成された金属膜とを有し、前記金属膜に、読み取り可能に情報が記録された光学的記録媒体であって、前記金属膜表面に、光重合反応に関与する光重合性硬化樹脂を含有する樹脂組成物であって、前記光重合性硬化樹脂は、比重が１．１０以上の高比重液状オリゴマを含有する樹脂組成物を用いた樹脂膜が形成されたことを特徴とする光学的記録媒体。」を
「基体と、前記基体上に形成された
アルミニウム薄膜
アルミニウム薄膜
アルミニウム薄膜表面
エポキシアクリレートから成り
１．１９以下
　
（２）訂正事項ｂ
　請求項３の
「前記高比重液状オリゴマがエポキシアクリレートである請求項１又は請求項２のいずれか１項記載の光学的記録媒体。」を
「前記高比重液状オリゴマが
ビスフェノールＡ型アクリレート
　
（３）訂正事項ｃ
　明細書段落【００１３】の
「本発明は上記知見に基いて創作されたものであり、請求項１記載の発明は、基体と、前記基体上に形成された金属膜とを有し、前記金属膜に、読み取り可能に情報が記録された光学的記録媒体であって、前記金属膜表面に、光重合反応に関与する光重合性硬化樹脂を含有する樹脂組成物であって、前記光重合性硬化樹脂は、比重が１．１０以上の高比重液状オリゴマを含有する樹脂組成物を用いた樹脂膜が形成されたことを特徴とする光学的記録媒体である。」を
「本発明は上記知見に基いて創作されたものであり、請求項１記載の発明は、基体と、前記基体上に形成された
アルミニウム薄膜
アルミニウム薄膜
アルミニウム薄膜表面
エポキシアクリレートから成り
１．１９以下
　
（４）訂正事項ｄ
　明細書段落【００１５】の
「請求項１又は請求項２のいずれか１項記載の光学的記録媒体の樹脂組成物に用いられる高比重液状オリゴマについては、請求項３記載の発明のように、エポキシアクリレートを用いることができる。」を
「請求項１又は請求項２のいずれか１項記載の光学的記録媒体の樹脂組成物に用いられる高比重液状オリゴマについては、請求項３記載の発明のように、
ビスフェノールＡ型アクリレート
　
（５）訂正事項ｅ
　明細書段落【００１７】の
「【発明の実施の形態】
　以下、本発明の実施例を比較例と共に説明する。
　先ず、エポキシアクリレートのうち、比重が１．１３以上の高比重の液状オリゴマＡ〜Ｄと、比重が１．０４及び１．０８の通常の液状オリゴマＥ、Ｆを用い、各液状オリゴマＡ〜Ｆの５０重量部に対し、第１のモノマー(トリプロピレングリコールジアクリレート)３０重量部、第２のモノマー(フェノキシアクリレート)２０重量部、開始剤(ダロキュア１１７３)５重量部、その他の成分(禁止剤等)５重量部添加し、混合して４種類の本発明の樹脂組成物１〜４と、比較例としての樹脂組成物５、６とを作成した。」を
「【発明の実施の形態】
　以下、本発明の実施例を比較例と共に説明する。
　先ず、エポキシアクリレートのうち、比重が１．１３以上の高比重の液状オリゴマＡ〜Ｄと、比重が１．０４及び１．０８の通常の液状オリゴマＥ、Ｆを用い、各液状オリゴマＡ〜Ｆの５０重量部に対し、第１のモノマー(トリプロピレングリコールジアクリレート)３０重量部、第２のモノマー(フェノキシアクリレート)２０重量部、開始剤(ダロキュア１１７３)５重量部、その他の成分(禁止剤等)５重量部添加し、混合して
３
１、３、４
２、５、６
　
（６）訂正事項ｆ
　明細書段落【００２２】の表１の実施例の欄の「樹脂組成物２」の行を、比較例の欄の最上行となるように訂正する。
　
（７）訂正事項ｇ
　明細書段落【００２３】の
「各樹脂組成物１〜６のうち、４種類の樹脂組成物１〜４用いた光学的記録媒体が本発明の実施例であり、他の２種類の樹脂組成物５〜６を用いた光学的記録媒体が比較例である。上記表１から、本発明の樹脂組成物１〜４を用いた場合、単盤型と貼り合わせ型の光学的記録媒体の両方とも、全てピンホール数は０であり、優れた保護特性を有する樹脂膜が形成されていることが分かる。」を
「各樹脂組成物１〜６のうち、
３
、３、
３
２、５、６
、３、
　
２．訂正の目的の適否、訂正の範囲の適否及び特許請求の範囲の拡張・変更の存否
　訂正事項ａは、金属薄膜を「アルミニウム薄膜」に限定し、高比重液状オリゴマを「エポキシアクリレートから成る高比重液状オリゴマ」に限定し、さらに、比重１．１０以上を「比重１．１０以上１．１９以下」に限定するものであるから、特許請求の範囲の減縮を目的とする訂正に該当する。また、「比重１．１０以上１．１９以下」とする訂正は実施例の樹脂組成物４の比重１．１９を数値の上限の根拠としているので、当該訂正は願書に添付した明細書に記載した事項の範囲内のものである。
　訂正事項ｂは、エポキシアクリレートを「ビスフェノールＡ型アクリレート」に限定する訂正であるから、特許請求の範囲の減縮を目的とする訂正に該当する。また、「先ず、エポキシアクリレートのうち、比重が１．１３以上の高比重の液状オリゴマーＡ〜Ｄ」（段落【００１７】）及び「なお、表１中でエポキシグレードを記載した欄は、・・・それ以外のものはビスフェノールＡ型アクリレートである。」（段落【００２４】）の記載からみて、エポキシアクリレートの下位概念としてビスフェノールＡ型アクリレートが記載されていることが明らかであるから、訂正事項ｂは願書に添付した明細書に記載した事項の範囲内のものである。
　訂正事項ｃ〜ｇは、上記特許請求の範囲の訂正に応じて、明細書の発明の詳細な説明の欄の記載を整合させるものであるから、明りょうでない記載の釈明に該当する。
　そして、上記訂正事項ａ〜ｇは、願書に添付した明細書に記載した事項の範囲内のものであり、新規事項の追加に該当せず、実質上特許請求の範囲を拡張し又は変更するものではない。
　以上のとおりであるから、上記訂正は、特許法第１２０条の４第２項及び同条第３項において準用する特許法第１２６条第２項から第４項までの規定に適合するので、当該訂正を認める。
　
【III】特許異議申立てについて
１．訂正後の請求項１〜３に係る発明
　訂正後の請求項１〜３に係る発明（以下、「訂正発明１〜３」という。）は、訂正明細書の特許請求の範囲の請求項１〜３に記載された事項により特定される、次のとおりのものである。
「【請求項１】基体と、前記基体上に形成されたアルミニウム薄膜とを有し、前記アルミニウム薄膜に、読み取り可能に情報が記録された光学的記録媒体であって、前記アルミニウム薄膜表面に、光重合反応に関与する光重合性硬化樹脂を含有する樹脂組成物であって、前記光重合性硬化樹脂は、エポキシアクリレートから成り比重が１．１０以上１．１９以下の高比重液状オリゴマを含有する樹脂組成物を用いた樹脂膜が形成されたことを特徴とする光学的記録媒体。
【請求項２】前記光重合性硬化樹脂中には、前記高比重液状オリゴマが、３５重量％以上７０重量％以下の範囲で含有された請求項１記載の光学的記録媒体。
【請求項３】前記高比重液状オリゴマがビスフェノールＡ型アクリレートである請求項１又は請求項２のいずれか１項記載の光学的記録媒体。」
　
２．特許異議申立ての概要
　特許異議申立人　関口勝宏　は、甲第１号証の１及び甲第１号証の２を提出し、訂正前の請求項１〜３に係る発明は、甲第１号証の２を考慮するならば甲第１号証の１に記載された発明であり、また、甲第１号証の１に記載された発明に基づいて当業者が容易に発明をすることができたものであるから、特許法第２９条第１項第３号及び特許法第２９条第２項の規定に違反してされたものであるから、取り消されるべき旨主張している。
　
３．甲第１号証の１及び甲第１号証の２に記載の事項
　特許異議申立人が提出した甲第１号証の１（特開平６−３６３７３号公報）には、以下の事項について記載がされている。
　「【請求項１】　樹脂基板上に光磁気記録層及び、該記録層上に直接または、他の層を介して保護層を設けてなる光磁気記録媒体であって、保護層は、光重合性オリゴマー、光重合性モノマー及び光重合開始剤の３成分を含有し、且つ、該光重合性オリゴマーが上記３成分の合計量に対して３０〜８０重量％の割合である紫外線硬化型アクリレート樹脂を用い、該紫外線硬化型アクリレート樹脂を塗布後、硬化させて形成されたものであることを特徴とする光磁気記録媒体。」（特許請求の範囲）
「【課題を解決するための手段】　本発明者等は、上記の課題に鑑み、高耐候性を有する光磁気記録媒体を提供すべく鋭意検討を重ねた結果、保護層として光重合性オリゴマー含有量が特定量の範囲のものを用いた紫外線硬化型アクリレート樹脂層を形成することにより、著しく耐候性に優れた光磁気記録媒体が得られ、上記目的が達成できることを見出し、本発明を完成するに至った。」（段落【０００６】）
「このような樹脂基板上に形成する光磁気記録層の層構成としては特に制限はなく、公知の光磁気記録層の層構成を採用することができる。例えばＴｂＦｅ、ＴｂＦｅＣｏ、ＴｂＣｏ、ＤｙＴｂＦｅＣｏ等の希土類と遷移金属との非晶質磁性合金、ＭｎＢｉ、ＭｎＣｕＢｉ等の多結晶垂直磁化膜等が用いられる。光磁気記録層としては単一の層を用いても良いし、ＧｄＴｂＦｅ／ＴｂＦｅのように２層以上の記録層を重ねて用いても良い。」（【０００８】
「実施例−１
　透明基板として中央に直径１５ｍｍの孔を有する直径８６ｍｍ板厚１．２ｍｍの案内溝付き円形平板上のポリカーボネート射出成形基板を用い、その上に以下の層構成の記録膜（カッコは膜厚を示す）連続スパッタ装置で成膜して光磁気記録ディスクを製造した。
　ＴａＯx （９００Å）／ＴｂＦｅＣｏ（２５０Å）／ＳｉＮ x（３００Å）／ＡｌＴａ（８００Å）
　オリゴマー成分としてエポキシアクリレート（大阪有機社製、商品名：ビスコート５４０）、単官能モノマーとしてＮ−ビニルピロリドン（東亜合成社製、商品名：アロニックスＭ−１５０）、多官能モノマー（Ａ）として１，４−ブタンジオールジアクリレート（大阪有機社製、商品名：ビスコート１９５）、多官能モノマー（Ｂ）としてネオペンチルグリコールジアクリレート（大阪有機社製、商品名：ビスコート２１５）、重合開始剤として１−ヒドロキシシクロヘキシルフェニルケトン（チバガイギー社（ドイツ）製、商品名：イルガキュアー１８４）を用いた紫外線硬化性樹脂を表−１に示す組成割合（重量％）で調製した。」（段落【００２６】【００２７】）
　
　特許異議申立人が提出した甲第１号証の２（２００３年７月３日付けの大阪有機化学工業株式会社発行の証明書）には、以下の事項について記載がされている。
（１）　特開平６−３６３７３号公報（甲第１号証の１）記載の実施例でオリゴマー成分として用いられているエポキシアクリレート（大阪有機社製、商品名：ビスコート＃５４０）」は、平成元年から現在に至るまで、品質が同一であること。
（２）現在製造するビスコート５４０は、液体比重が１．２（２０℃）であること。
　
４．対比・判断
（１）訂正発明１について検討する。
　甲第１号証の１には、基体と、前記基体上に形成された光磁気記録層とを有し、前記光磁気記録層表面に、光重合反応に関与する光重合性硬化樹脂を含有する樹脂組成物であって、前記光重合性硬化樹脂は、エポキシアクリレートからなる液状オリゴマを含有する樹脂組成物を用いた樹脂膜が形成された光磁気記録媒体が記載されている。
　しかしながら、甲第１号証の１における光磁気記録層には、ＴｂＦｅ、ＴｂＦｅＣｏ、ＴｂＣｏ、ＤｙＴｂＦｅＣｏ等の希土類と遷移金属との非晶質磁性合金、ＭｎＢｉ、ＭｎＣｕＢｉ等の多結晶垂直磁化膜等が用いられると記載されているが、アルミニウム薄膜を用いることは記載も示唆もされていない。
　さらに、甲第１号証の１にはエポキシアクリレートの比重については、記載も示唆もされていない。甲第１号証の１の実施例で用いられているエポキシアクリレート（大阪有機社製、商品名：ビスコート＃５４０）の比重が１．２（２０℃）であるという甲第１号証の２の記載を参酌しても、訂正発明１で使用するエポキシアクリレートの比重１．１０以上１．１９以下とは異なるものである。
　そうすると、訂正発明１は、甲第１号証の１に記載された発明であるということはできない。
　また、光磁気記録層をアルミニウム薄膜とし、さらに、エポキシアクリレートからなり比重が１．１０以上１．１９以下の高比重液状オリゴマを含有する樹脂組成物を用いた樹脂膜とすることについて記載も示唆もない甲第１号証の１の記載に基づいて、訂正発明１を当業者が容易に想到することができたということはできない。
　そして、訂正発明１は、請求項１に記載の発明特定事項を採用することにより、保護特性の良好な樹脂膜を形成でき長寿命の光学的記録媒体を得ることができるという効果を奏するものといえる。
　そうすると、訂正発明１は甲第１号証の１に記載された発明に基づいて、当業者が容易に発明をすることができたものではない。
　
（２）訂正発明２〜３について検討する。
　訂正発明２〜３は、訂正発明１の「 読み取り可能に情報が記録されたアルミニウム薄膜表面に、エポキシアクリレートから成り比重が１．１０以上１．１９以下の高比重液状オリゴマを含有する樹脂組成物を用いた樹脂膜が形成された光学的記録媒体」という要件を備えているから、訂正発明１と同様の理由により、甲第１号証の１に記載された発明であるとも、また、甲第１号証の１に記載された発明に基づいて当業者が容易に発明をすることができたものであるともいうことはできない。
　
５．むすび
　以上のとおりであるから、特許異議申立ての理由及び証拠によっては、訂正発明１〜３に係る特許を取り消すことはできない。
　また、他に訂正発明１〜３に係る特許を取り消すべき理由を発見しない。
　よって、結論のとおり決定する。
【異議決定日】
平成１６年１１月１０日（２００４．１１．１０）
【訂正の要旨】
審決（決定）の【理由】欄参照。
（５４）【発明の名称】
光学的記録媒体用の樹脂組成物
（５７）【特許請求の範囲】
　【請求項１】基体と、前記基体上に形成された
アルミニウム薄膜
アルミニウム薄膜
　前記
アルミニウム薄膜
エポキシアクリレートから成り
１．１９以下
　【請求項２】前記光重合性硬化樹脂中には、前記高比重液状オリゴマが、３５重量％以上７０重量％以下の範囲で含有された請求項１記載の光学的記録媒体。
　【請求項３】前記高比重液状オリゴマが
ビスフェノールＡ型アクリレート
【発明の詳細な説明】
　【０００１】
　【発明の属する技術分野】
　本発明は、光ディスクや光磁気ディスクに用いられる樹脂膜にかかり、特に、金属膜と直接接触し、保護層や接着剤層となる樹脂膜の樹脂組成物に関する。
　【０００２】
　【従来の技術】
　従来より、光を利用して記憶情報の読み込み、又は読み込み／書き込みを行う媒体として、光ディスクや光磁気ディスクが用いられている。
　【０００３】
　それらのうち、例えばコンパクトディスクに用いられる光ディスクでは、透明な樹脂円盤上にピットを有する金属膜が形成され、ピット配列によって所定の情報が記憶された後、金属膜表面に保護層が形成されており、金属膜に向け、透明な樹脂円盤側からレーザ光を照射し、反射光を読みとっている。
　【０００４】
　このような光ディスクの場合、大気中の水分が樹脂膜を透過し、金属膜が腐食し、情報が読みとれなくなると寿命になることから、保護層の特性が、光ディスクの寿命に大きな影響を与えるため、従来より種々の材質が研究されている。
　【０００５】
　例えば、特開昭６３−２０６９２６号公報では、２枚の透明円盤で金属膜を挟んだ構造の光ディスクにおいて、保護層又は接着層に用いる樹脂に、高硬度のものを用いたものが開示されており、その結果、透湿性が小さく、耐湿性に優れた保護層が得られると記載されている。
　【０００６】
　また、特開平１−２８７８４７号公報には、金属膜の応力腐食に着目し、所定値の引張応力を有する保護層が開示されており、耐候性に優れた媒体が得られると記載されている。
　【０００７】
　このように、金属膜の腐食を防止するために、保護層の特性、材質等が盛んに研究されているが、例えば高硬度の樹脂を用いた場合、透湿度は低くなるものの、硬化収縮率が大きくなり、光ディスク全体が歪み、応力腐食が発生するという問題があり、逆に、引張応力に着目した樹脂は熱硬化型であり、紫外線硬化型の樹脂に比べ、熱による応力が発生するおそれがある。
　【０００８】
　また、特開平２−１０１６５６号公報には、硬化収縮率、透湿度、吸水率、吸湿率を所定範囲にした保護層が開示されており、金属膜の酸化が防止され、信頼性の高い媒体が得られると記載されているが、それらの条件の全てを管理することは、製造工程上困難である。
　【０００９】
　【発明が解決しようとする課題】
　本発明は上記従来技術の課題を解決するために創作されたものであり、その目的は金属膜表面に形成される保護層又は接着層に適した樹脂を提供することにある。
　【００１０】
　【課題を解決するための手段】
　本発明者らは、光学的記録媒体の金属薄膜の腐食と、保護層や接着層に用いる樹脂膜の材質の関係について研究したところ、腐食が少ない樹脂膜が得られる液状オリゴマの比重は、通常用いられている液状オリゴマの比重よりも大きいことを見出した。
　【００１１】
　一般に、金属膜の腐食が少ない樹脂膜は透水性が小さいと考えられているが、高比重液状オリゴマはかさ高い置換基を多数有しており、それらが重合した場合、かさ高い置換基が水分の侵入を防ぎ、透水性が小さい樹脂膜が得られると考えられる。
　【００１２】
　そして、種々の比重を有する液状オリゴマを用い、樹脂組成物を構成して樹脂膜を作成し、腐食の程度を調査したところ、１．１０以上の平均比重を有する高比重液状オリゴマを用いると、腐食が少ない樹脂膜が得られることを見出した。
　【００１３】
　本発明は上記知見に基いて創作されたものであり、請求項１記載の発明は、基体と、前記基体上に形成された
アルミニウム薄膜
アルミニウム薄膜
アルミニウム薄膜
エポキシアクリレートから成り
１．１９以下
　【００１４】
　光重合性硬化樹脂には、高比重液状オリゴマだけではなく、低比重液状オリゴマやモノマーも一緒に用いられるが、光重合性硬化樹脂中の高比重液状オリゴマの含有率は重要であり、請求項２記載の発明のように、前記光重合性硬化樹脂中には、その３５重量％以上７０重量％以下の範囲で前記高比重液状オリゴマを含有させることが好ましい。含有率が少なすぎると効果がなく、多すぎると粘度が高くなりすぎ、塗布できなくなる。
　【００１５】
　請求項１又は請求項２のいずれか１項記載の光学的記録媒体の樹脂組成物に用いられる高比重液状オリゴマについては、請求項３記載の発明のように、
ビスフェノールＡ型アクリレート
　【００１６】
　本発明の光学的記録媒体に用いられた樹脂組成物は、金属膜表面に樹脂膜を形成し、保護層や接着層とすることができる。
　本発明の光学的記録媒体は、コンパクトディスクのようにレーザ光を用いて読みとるものの他、磁気的手段を併用するものも含まれる。
　【００１７】
　【発明の実施の形態】
　以下、本発明の実施例を比較例と共に説明する。
　先ず、エポキシアクリレートのうち、比重が１．１３以上の高比重の液状オリゴマＡ〜Ｄと、比重が１．０４及び１．０８の通常の液状オリゴマＥ、Ｆを用い、各液状オリゴマＡ〜Ｆの５０重量部に対し、第１のモノマー（トリプロピレングリコールジアクリレート）３０重量部、第２のモノマー（フェノキシアクリレート）２０重量部、開始剤（ダロキュア１１７３）５重量部、その他の成分（禁止剤等）５重量部添加し、混合して
３
、３、
２、５、６
　【００１８】
　それとは別に、図１（ａ）に示すように、スパッタリング法により、表面にアルミニウム薄膜１１（膜厚５００Å）が形成された透明なポリカーボネートから成る基体１１（厚さ１．２ｍｍ）を用意し、各樹脂組成物１〜６をアルミニウム薄膜１表面にそれぞれ滴下し、スピンコート法にて樹脂組成物層を形成した後、紫外線を照射し（積算光量５００ｍＪ／ｃｍ２）、光硬化させ、同図（ｂ）に示すように、アルミニウム薄膜１２表面に樹脂膜１３が形成された単盤型の光学的記録媒体１０を得た。
　【００１９】
　また、上記ポリカーボネートの基体１１を半分の厚さにした基体２１（厚さ０．６ｍｍ）上にアルミニウム薄膜２２を形成し、上記樹脂組成物１〜７をアルミニウム薄膜２２表面にそれぞれ滴下し、スピンコート法によって樹脂組成物層を形成した後、その表面に、同じ厚さ（０．６ｍｍ）の基体２４を密着させた後、紫外線を照射し、貼り合わせ型の光学的記録媒体２０を得た。
　【００２０】
　各樹脂組成物１〜６がそれぞれ用いられた６種類の単盤型の光学的記録媒体１０と６種類の貼り合わせ型の光学的記録媒体２０を、温度８０℃、相対湿度８５％の雰囲気に置き、１０００時間放置した後、ピンホール数を測定した。
　また、液体の比重と硬化物の比重により硬化収縮率（体積収縮率）を求めた。
　【００２１】
　各樹脂組成物１〜６に対する測定結果を、各液状オリゴマＡ〜Ｇの比重、グレード、メーカー名と併せて下記表に示す。
　【００２２】
　【表１】
　【００２３】
　各樹脂組成物１〜６のうち、
３
、３、
３
２、５、６
、３、
　【００２４】
　なお、表１中でエポキシグレードを記載した欄は、各メーカーの商標名を示しており、ＣＮ１１１は大豆変成エポキシアクリレート、それ以外のものはビスフェノールＡ型アクリレートである。メーカー名の欄中、「サトーマー」はサトーマーカンパニーの略、「ＵＣＢ」は「ＵＣＢケミカルズコーポレーション」の略であり、どちらも外国法人である。
　【００２５】
　次に、上記高比重の液状オリゴマＡを用い、その含有量と、上記の第１、第２のモノマーの含有量を変えて、２種類の本発明の樹脂組成物７、８を作成した。また、上記高比重液状オリゴマＤを用い、同様に、その含有量と第１、第２のモノマーの含有量を変えて本発明の樹脂組成物９、１０を作成した。
　【００２６】
　各樹脂組成物７〜１０を用い、表１の樹脂組成物１〜７の場合と同様に、単盤型の光学的記録媒体と貼り合わせ型の光学的記録媒体を作成した。
　【００２７】
　そして、上記と同じ条件（８０℃、８５％）で１０００時間放置し、ピンホール数を測定した。その結果を下記表２に示す。
　【００２８】
　【表２】
　【００２９】
　表２の結果から、本発明の樹脂組成物７〜１０を用いた場合にはピンホール数は少なく、保護特性の高い樹脂膜が形成されていることが分かる。樹脂組成物１０を用いた場合には、高比重の液状オリゴマＤを用いているのに、他の樹脂組成物１〜９に比べてピンホール数が多い。その原因は、液状オリゴマＤの含有率が小さい点にある。この樹脂組成物１０の測定結果から、本発明では、高比重液状オリゴマを３５％以上含有させることが望ましいことが分かる。
　【００３０】
　【発明の効果】
　本発明の樹脂組成物によれば、保護特性の良好な樹脂膜を形成できるので、長寿命の光学的記録媒体を得ることができる。
【図面の簡単な説明】
　【図１】（ａ）、（ｂ）：本発明の光学的記録媒体の一例の製造工程を説明するための図
　【図２】本発明の光学的記録媒体の他の例を説明するための図
　【符号の説明】
　１０、２０……光学的記録媒体
　１１、２１……基体
　１２、２２……金属膜
　１３、２３……樹脂膜